(57)【要約】【課題】固体光源の点灯時間が変化しても明るさの変化を抑える。【解決手段】信号処理部１１０は、画像の明るさが明るくなるにつれて、励起用レーザーダイオード６２を駆動するＰＷＭ信号ＰＹ２のデューティー比を大きくする。また、信号処理部１１０は、画像の明るさが０％からｆ％未満の範囲内においては、ＰＷＭ信号ＰＹ２の電流値をｂとし、画像の明るさがｅ％以上（ｆ％＜ｅ％）の範囲内においては、ＰＷＭ信号ＰＹ２の電流値をａ（ａ＞ｂ）とする。また、画像の明るさがｆ％以上ｅ％未満の範囲内においては、ＰＷＭ信号ＰＹ２の電流値を、ａからｂの範囲内において、画像の明るさが明るくなるにつれて大きくする。【選択図】図３
2014106420.tif 000002
【特許請求の範囲】
【請求項１】
ＰＷＭ信号で駆動される固体光源と、
前記固体光源が発した光を画像信号に応じて変調する光変調素子と、
前記画像信号が表す画像の明るさに応じて前記ＰＷＭ信号のデューティー比と電流値とを决定し、前記デューティー比が予め定められた第１閾値以上の場合には予め定められた第１電流値のPWM信号を前記固体光源へ出力し、前記デューティー比が前記第１閾値未満の場合には前記第１電流値未満のＰＷＭ信号を前記固体光源へ出力する信号出力部と
を有する表示装置。
【請求項２】
前記信号出力部は、前記デューティー比が前記第１閾値より小さい第２閾値未満の場合には、前記第１電流値より小さい第２電流値のＰＷＭ信号を出力し、前記デューティー比が前記第２閾値以上且つ前記第１閾値未満の場合には、前記デューティー比に応じて電流値が前記第２電流値以上且つ前記第１電流値未満のＰＷＭ信号を出力する
請求項１に記載の表示装置。
【請求項３】
前記固体光源が発した光の光量を検出する光検出器を有し、
前記信号出力部は、前記明るさと前記デューティー比との対応関係を規定するテーブルを有し、前記テーブルにおいて前記デューティー比を前記第２閾値とするときの明るさを、前記光検出器が検出した光量に応じて変更し、
変更されたテーブルに基いて、ＰＷＭ信号のデューティー比を决定する
請求項２に記載の表示装置。
【請求項４】
前記信号出力部は、前記デューティー比が前記第１閾値未満の場合には、前記第１電流値より小さい第２電流値のＰＷＭ信号を出力する
請求項１に記載の表示装置。
【請求項５】
ＰＷＭ信号で駆動される固体光源と、
前記固体光源が発した光を画像信号に応じて変調する光変調素子と
を有する表示装置の制御方法であって、
前記画像信号が表す画像の明るさに応じて前記ＰＷＭ信号のデューティー比と電流値とを决定し、前記デューティー比が予め定められた第１閾値以上の場合には予め定められた第１電流値のPWM信号を前記固体光源へ出力し、前記デューティー比が前記第１閾値未満の場合には前記第１電流値未満のＰＷＭ信号を前記固体光源へ出力することを特徴とする、表示装置の制御方法。
【発明の詳細な説明】
【技術分野】
【０００１】
本発明は、表示装置及び表示装置の制御方法に関する。
【背景技術】
【０００２】
表示する映像の明るさを固体光源の点灯時間を制御することで制御する発明として、例えば特許文献１に開示された表示装置がある。この表示装置は、ＬＥＤ（Light Emitting Diode）を光源としており、１フィールドあたりの光源の点灯時間を入力される画像信号に基いて求める。表示装置は、１フィールドあたりに必要な光量が多くなると光源の点灯時間を長くし、１フィールドあたりに必要な光量が少なくなると光源の点灯時間を短くする。
【先行技術文献】
【特許文献】
【０００３】
【特許文献１】特開２００４−３５４７１７
【発明の概要】
【発明が解決しようとする課題】
【０００４】
ところで、表示装置の固体光源としては、ＬＥＤ以外には例えばＬＤ（Laser Diode）光源がある。ＬＤ光源は、温度によって光量が変化する特性があり、駆動電流が一定の場合、ジャンクション温度が低下すると光量が増加し、ジャンクション温度が上昇すると光量が低下する。特許文献１の表示装置のように点灯時間を制御し、点灯時間を長くして光量が大きい状態が続くと、ジャンクション温度が上昇する。この場合、１フィールドあたりの点灯時間が同じ点灯時間であっても、時間が経過すると温度の上昇により光量が変化してしまう。また、点灯時間を短くして光量が小さい状態が続くと、ジャンクション温度が低下する。この場合、１フィールドあたりの点灯時間が同じ点灯時間であっても、時間が経過すると温度の低下により光量が変化してしまう。
【０００５】
本発明は、上述した事情に鑑みてなされたものであり、その目的の一つは、固体光源の点灯時間が変化しても明るさの変化を抑えるようにすることにある。
【課題を解決するための手段】
【０００６】
上記目的を達成するため、本発明に係る表示装置は、ＰＷＭ信号で駆動される固体光源と、前記固体光源が発した光を画像信号に応じて変調する光変調素子と、前記画像信号が表す画像の明るさに応じて前記ＰＷＭ信号のデューティー比と電流値とを决定し、前記デューティー比が予め定められた第１閾値以上の場合には予め定められた第１電流値のPWM信号を前記固体光源へ出力し、前記デューティー比が前記第１閾値未満の場合には前記第１電流値未満のＰＷＭ信号を前記固体光源へ出力する信号出力部とを有する。
この構成によれば、デューティー比を変更して固体光源の点灯時間が変化しても、ＰＷＭ信号の電流値を変更するので、光変調素子で得られる画像について明るさの変化を抑えられる。
【０００７】
前記表示装置においては、前記信号出力部は、前記デューティー比が前記第１閾値より小さい第２閾値未満の場合には、前記第１電流値より小さい第２電流値のＰＷＭ信号を出力し、前記デューティー比が前記第２閾値以上且つ前記第１閾値未満の場合には、前記デューティー比に応じて電流値が前記第２電流値以上且つ前記第１電流値未満のＰＷＭ信号を出力する構成としてもよい。
この構成によれば、デューティー比が第２閾値以上且つ第１閾値未満の場合には、デューティー比に応じて電流値を変更するため、電流値を第２電流値に固定する場合と比較すると、画像を明るくすることができる。
【０００８】
前記表示装置においては、前記固体光源が発した光の光量を検出する光検出器を有し、前記信号出力部は、前記明るさと前記デューティー比との対応関係を規定するテーブルを有し、前記テーブルにおいて前記デューティー比を前記第２閾値とするときの明るさを、前記光検出器が検出した光量に応じて変更し、変更されたテーブルに基いて、ＰＷＭ信号のデューティー比を决定する構成としてもよい。
この構成によれば、経時的な変化によりデューティー比と固体光源が発する光の光量との関係が変化しても、デューティー比を第２閾値とするときの明るさを固体光源の光量の検出結果に応じて変更するため、経時的な変化による光量の変動を抑えることができる。
【０００９】
前記表示装置においては、前記信号出力部は、前記デューティー比が前記第１閾値未満の場合には、前記第１電流値より小さい第２電流値のＰＷＭ信号を出力する構成としてもよい。
この構成によれば、電流値を第１電流値又は第２電流値のいずれかにするため、電流値を変更する構成を簡易なものにすることができる。
【００１０】
また、上記目的を達成するために本発明に係る表示装置の制御方法は、ＰＷＭ信号で駆動される固体光源と、前記固体光源が発した光を画像信号に応じて変調する光変調素子とを有する表示装置の制御方法であって、前記画像信号が表す画像の明るさに応じて前記ＰＷＭ信号のデューティー比と電流値とを决定し、前記デューティー比が予め定められた第１閾値以上の場合には予め定められた第１電流値のPWM信号を前記固体光源へ出力し、前記デューティー比が前記第１閾値未満の場合には前記第１電流値未満のＰＷＭ信号を前記固体光源へ出力する。
この構成によれば、デューティー比を変更して固体光源の点灯時間が変化しても、ＰＷＭ信号の電流値を変更するので、光変調素子で得られる画像について明るさの変化を抑えられる。
【図面の簡単な説明】
【００１１】
【図１】プロジェクター１の外観図。
【図２】プロジェクター１が有する光学系２の構成を示した図。
【図３】プロジェクター１のハードウェア構成を示したブロック図。
【図４】電流テーブルＴＢ１に格納された内容を示した図。
【図５】第１デューティー比テーブルＴＢ１１に格納された内容を示した図。
【図６】ＰＷＭ信号の波形の一例を示した図。
【図７】第２デューティー比テーブルＴＢ２１に格納された内容を示した図。
【図８】デューティー比ＤＹと電流値ＣＹの関係を示した図。
【図９】電流テーブルＴＢ１の変形例を示した図。
【図１０】光学系２Ａの構成を示した図。
【図１１】第２実施形態のプロジェクター１のハードウェア構成を示したブロック図。
【図１２】第３デューティー比テーブルＴＢ３１に格納された内容を示した図。
【図１３】第４デューティー比テーブルＴＢ４１に格納された内容を示した図。
【図１４】第１テーブルＴＢ５１に格納された内容を示した図。
【図１５】第２テーブルＴＢ５２に格納された内容を示した図。
【発明を実施するための形態】
【００１２】
［第１実施形態］
図１は、本発明の一実施形態に係るプロジェクター１の外観図である。プロジェクター１は、液晶プロジェクターであり、入力される画像信号が表す画像をスクリーンに投写して表示する表示装置である。プロジェクター１は、光源としてレーザーダイオードを有し、光変調素子として赤色光用、緑色光用及び青色光用の３つの反射型液晶パネルを有する。
【００１３】
図２は、プロジェクター１が有する光学系２の構成を示した図である。図２に示した青色光照明装置５１は、青色光ＬＢを射出する装置である。青色光照明装置５１は、青色レーザーダイオードアレイ５３、平行化レンズ５４、集光レンズ５５、拡散板５６、ピックアップレンズ５７、平行化レンズ５８、第１レンズアレイ９、第２レンズアレイ１０、偏光変換素子１１及び重畳レンズ１２を有している。
【００１４】
青色レーザーダイオードアレイ５３は、青色光を出力する複数の青色レーザーダイオード５９が複数行複数列のアレイ状に配列されたものである。青色レーザーダイオード５９から射出された青色光は平行化レンズ５４に入射する。平行化レンズ５４は、入射した青色光を平行化するレンズである。平行化レンズ５４を透過した青色光は、集光レンズ５５に入射する。集光レンズ５５は、平行化レンズ５４で平行化された青色光を集光するレンズである。集光レンズ５５で集光された青色光は拡散板５６に入射する。
【００１５】
拡散板５６は、入射した光を拡散するものであり、集光レンズ５５から入射した青色光は、拡散板５６で拡散されてピックアップレンズ５７に入射する。ピックアップレンズ５７は、入射した光を集光するレンズである。ピックアップレンズ５７で集光された青色光は、平行化レンズ５８に入射する。平行化レンズ５８は、入射した光を平行化するレンズである。平行化レンズ５８で平行化された青色光は、第１レンズアレイ９に入射する。
【００１６】
第１レンズアレイ９は、複数の第１レンズ１３が複数行複数列のマトリクス状に配列されたものであり、平行化レンズ５８からの青色光を複数の光束に分割する機能を有する。第１レンズアレイ９を透過した青色光は、第２レンズアレイ１０に入射する。第２レンズアレイ１０は、複数の第２レンズ１４が複数行複数列のマトリクス状に配列されたものであり、重畳レンズ１２とともに、第１レンズアレイ９を透過した青色光を反射型液晶パネル４Ｂに集光する機能を有する。第２レンズアレイ１０を透過した青色光は、偏光変換素子１１に入射する。
【００１７】
偏光変換素子１１は、第１レンズアレイ９により分割された光の偏光方向を揃える素子である。偏光変換素子１１は、入射した光のうち、一方の直線偏光成分（例えばＰ偏光）を透過し、他方の直線偏光成分（例えばＳ偏光）を一方の直線偏光成分に変換する。重畳レンズ１２は、偏光変換素子１１を透過した光を集光するレンズである。重畳レンズ１２で集光された光である青色光ＬＢは、青色光照明装置５１から射出され、レンズ３２Ｂに入射する。なお、偏光変換素子１１から射出される光のすべてが一方の偏光に揃っているわけではなく、他方の偏光も混在している。
【００１８】
レンズ３２Ｂは、入射した青色光ＬＢを平行化するレンズである。レンズ３２Ｂで平行化された青色光は、偏光ビームスプリッター２８に入射する。偏光ビームスプリッター２８は、光束を分割するものであり、Ｐ偏光を透過し、Ｓ偏光を反射する機能を有する。偏光ビームスプリッター２８を透過した青色光は、反射型液晶パネル４Ｂに入射する。
【００１９】
次に黄色光照明装置５２について説明する。黄色光照明装置５２は、黄色光ＬＹを射出する装置である。黄色光照明装置５２は、励起用レーザーダイオードアレイ６０、平行化レンズ５４、集光レンズ５５、蛍光体基板６１、ピックアップレンズ５７、平行化レンズ５８、第１レンズアレイ９、第２レンズアレイ１０、偏光変換素子１１、及び重畳レンズ１２を有している。なお、黄色光照明装置５２が有する部品のうち、青色光照明装置５１が有する部品と同じ部品については、青色光照明装置５１が有する部品と同じ符号を付し、その説明を省略する。
【００２０】
励起用レーザーダイオードアレイ６０は紫外光を出力する複数の励起用レーザーダイオード６２が複数行複数列のアレイ状に配列されたものである。励起用レーザーダイオード６２から射出された紫外光は平行化レンズ５４に入射する。なお、励起用レーザーダイオード６２から射出される光は、紫外光ではなく青色光であってもよい。
【００２１】
平行化レンズ５４及び集光レンズ５５を透過した紫外光は、蛍光体基板６１に入射する。蛍光体基板６１は、紫外光や青色光などの励起光を受けて黄色光を発する蛍光体層が基板上に形成されたものである。集光レンズ５５を透過した紫外光が蛍光体基板６１に到達すると、蛍光体基板６１から黄色光が発せられ、黄色光はピックアップレンズ５７に入射する。ピックアップレンズ５７、平行化レンズ５８、第１レンズアレイ９、第２レンズアレイ１０及び偏光変換素子１１を透過し、重畳レンズ１２で集光された光である黄色光ＬＹは、黄色光照明装置５２から射出され、ダイクロイックミラー２５に入射する。
【００２２】
ダイクロイックミラー２５は、予め定められた波長領域の光束を反射し、他の波長領域の光束を透過する光学素子である。ダイクロイックミラー２５は、黄色光ＬＹに含まれる赤色成分の赤色光ＬＲを透過し、緑色成分の緑色光ＬＧを反射する。ダイクロイックミラー２５を透過した赤色光ＬＲは、レンズ３２Ｒに到達し、ダイクロイックミラー２５で反射された緑色光ＬＧは、レンズ３２Ｇに到達する。
【００２３】
レンズ３２Ｒは、赤色光ＬＲを平行化するレンズである。レンズ３２Ｒで平行化された赤色光ＬＲは、偏光ビームスプリッター２６に入射する。偏光ビームスプリッター２６は、光束を分割するものであり、Ｐ偏光を透過し、Ｓ偏光を反射する機能を有する。偏光ビームスプリッター２８を透過したＰ偏光の赤色光は、反射型液晶パネル４Ｒに入射する。
【００２４】
同様に、レンズ３２Ｇは、緑色光ＬＧを平行化するレンズである。レンズ３２Ｇで平行化された緑色光ＬＧは、偏光ビームスプリッター２７に入射する。偏光ビームスプリッター２７は、光束を分割するものであり、Ｐ偏光を透過し、Ｓ偏光を反射する機能を有する。偏光ビームスプリッター２７を透過したＰ偏光の緑色光は、反射型液晶パネル４Ｇに入射する。
【００２５】
反射型液晶パネル４Ｒ、反射型液晶パネル４Ｇ及び反射型液晶パネル４Ｂは、入射する光を入力される画像信号に応じて変調するものである。反射型液晶パネル４Ｒ、反射型液晶パネル４Ｇ及び反射型液晶パネル４Ｂは、複数行複数列に配置された画素と、光が入射する側と反対側に配置され、光を反射する反射層とを有している。なお、反射型液晶パネル４Ｒ、反射型液晶パネル４Ｇ及び反射型液晶パネル４Ｂにおいて光が入射する側と反対側には、放熱フィン３３Ｒ、放熱フィン３３Ｇ、放熱フィン３３Ｂが配置されている。
【００２６】
反射型液晶パネル４Ｂは、入力される画像信号に応じた電圧を各画素へ印加する。画素においては、印加された電圧に応じて液晶分子の配向状態が変化する。例えば、液晶が垂直配向の液晶の場合、印加電圧を０Ｖとすると、入射光（Ｐ偏光）が液晶を透過した際に偏光状態が変化しないため、反射型液晶パネル４ＢからはＰ偏光が射出される。一方、画素へ印加する電圧を５Ｖとすると、入射光（Ｐ偏光）が液晶を透過した際に偏光状態が変化し、反射型液晶パネル４ＢからはＳ偏光が射出される。また、画素へ印加する電圧を０Ｖと５Ｖの中間の電圧とすると、反射型液晶パネル４ＢからはＰ偏光とＳ偏光とが混在した光が射出される。
【００２７】
反射型液晶パネル４Ｂから射出されたＳ偏光は、偏光ビームスプリッター２８で反射した後、偏光板３４Ｂを透過してクロスダイクロイックプリズム５に入射する。なお、反射型液晶パネル４Ｒ及び反射型液晶パネル４Ｇの作用は、反射型液晶パネル４Ｂと同じであり、反射型液晶パネル４Ｒから射出されたＳ偏光の赤色光は、偏光ビームスプリッター２６で反射した後、偏光板３４Ｒを透過してクロスダイクロイックプリズム５に入射する。また、反射型液晶パネル４Ｇから射出されたＳ偏光の緑色光は、偏光ビームスプリッター２７で反射した後、偏光板３４Ｇを透過してクロスダイクロイックプリズム５に入射する。
【００２８】
クロスダイクロイックプリズム５は、偏光板３４Ｒ、偏光板３４Ｇ、偏光板３４Ｂを透過した光を合成し、カラー画像を形成する光学素子である。クロスダイクロイックプリズム５で合成された光によって形成されるカラー画像は、投写光学系６によってスクリーンＳＣＲに拡大投写される。
なお、図２においては図示していないが、偏光ビームスプリッター２７においてクロスダイクロイックプリズム５の方向とは反対方向に反射した光を吸収する部品を光学系２に設けるようにしてもよい。
【００２９】
次に、プロジェクター１のハードウェア構成について説明する。図３は、プロジェクター１において、反射型液晶パネル４Ｒ、反射型液晶パネル４Ｇ、反射型液晶パネル４Ｂ、励起用レーザーダイオード６２及び青色レーザーダイオード５９を制御するハードウェアの構成を示したブロック図である。
制御部１００は、ＣＰＵ（Central Processing Unit）、ＲＯＭ（Read Only Memory）、ＲＡＭ（Random Access Memory）などを備えたマイクロコンピューターであり、ＲＯＭに記憶されたプログラムに従って動作する。制御部１００は、図示を省略した操作ボタンで行われた操作に応じて信号処理部１１０を制御し、投写する画像を調整する機能を有する。
【００３０】
信号処理部１１０は、ＰＷＭ部１２０、液晶駆動部１３０、励起用ＬＤ駆動部１４０及び青色ＬＤ駆動部１５０へ、各種信号を出力するものである。信号処理部１１０は、カラー画像を表す画像信号を取得する。信号処理部１１０は、制御部１００により制御され、取得した画像信号が表す画像のコントラストや明るさ、色の濃さ、色合い、色温度などの調整を行う。信号処理部１１０は、調整がされた画像を表す画像信号を液晶駆動部１３０へ出力する。
液晶駆動部１３０は、信号処理部１１０から出力された画像信号を取得する。液晶駆動部１３０は、取得した画像信号が表す画像が投写されるように、反射型液晶パネル４Ｒ、反射型液晶パネル４Ｇ及び反射型液晶パネル４Ｂを駆動する。
【００３１】
また、信号処理部１１０は、投写する画像の明るさを調整するため、ＰＷＭ部１２０、励起用ＬＤ駆動部１４０、青色ＬＤ駆動部１５０へ各種信号を出力する。信号処理部１１０は、各種信号を出力するため、電流テーブルＴＢ１、第１デューティー比テーブルＴＢ１１及び第２デューティー比テーブルＴＢ２１を有する。
【００３２】
電流テーブルＴＢ１は、図４に例示した、調整後の画像の明るさと、当該明るさのときに励起用レーザーダイオード６２を駆動するＰＷＭ（Pulse Width Modulation）信号の電流値との関係を格納したものである。具体的には、電流テーブルＴＢ１は、画像の明るさに対応付けて、当該明るさのときに励起用レーザーダイオード６２を駆動するＰＷＭ信号の電流値を格納している。なお、電流テーブルＴＢ１においては、画像の明るさについて、最小の明るさから最大の明るさまでを正規化して０％から１００％としている。
【００３３】
第１デューティー比テーブルＴＢ１１は、図５に例示した、調整後の画像の明るさと、当該明るさのときに励起用レーザーダイオード６２を駆動するＰＷＭ信号ＰＹ２のデューティー比ＤＹとの関係を格納したものである。本実施形態においては、１フィールドの画像の表示期間において励起用レーザーダイオード６２を点灯させる期間を、画像の明るさに応じて制御する。
【００３４】
図６は、ＰＷＭ信号の波形の一例を示した図である。図６に示したように、１フィールドの期間をＴとし、励起用レーザーダイオード６２の点灯期間をｔとした場合、ＰＷＭ信号のデューティー比は、ｔ／Ｔで表される。第１デューティー比テーブルＴＢ１１は、画像の明るさに対応付けて、当該明るさのときのＰＷＭ信号ＰＹ２のデューティー比ＤＹを格納している。
【００３５】
第２デューティー比テーブルＴＢ２１は、図７に例示した、調整後の画像の明るさと、当該明るさのときに青色レーザーダイオード５９を駆動するＰＷＭ信号ＰＢ２のデューティー比ＤＢとの関係を格納したものである。本実施形態においては、画像を表示する１フィールドの期間において青色レーザーダイオード５９を点灯させる期間を、画像の明るさに応じて制御する。第２デューティー比テーブルＴＢ２１は、画像の明るさに対応付けて、当該明るさのときのＰＷＭ信号ＰＢ２のデューティー比ＤＢを格納している。
【００３６】
信号処理部１１０は、画像信号の１フィールド毎に１フィールドの画像中の最大の明るさを特定し、特定した明るさのときのＰＷＭ信号ＰＹ２のデューティー比ＤＹ及びＰＷＭ信号ＰＢ２のデューティー比ＤＢを第１デューティー比テーブルＴＢ１１と第２デューティー比テーブルＴＢ２１から抽出する。信号処理部１１０は、第１デューティー比テーブルＴＢ１１から抽出したデューティー比ＤＹと、第２デューティー比テーブルＴＢ２１から抽出したデューティー比ＤＢとをＰＷＭ部１２０へ出力する。
【００３７】
また、信号処理部１１０は、画像信号の１フィールド毎に１フィールドの画像中の最大の明るさを特定し、特定した明るさのときのＰＷＭ信号ＰＹ２の電流値ＣＹを電流テーブルＴＢ１から抽出する。信号処理部１１０は、電流テーブルＴＢ１から抽出した電流値ＣＹを、励起用ＬＤ駆動部１４０へ出力する。なお、本実施形態においては、青色レーザーダイオード５９を駆動するＰＷＭ信号ＰＢ２は、予め定められた電流値（本実施形態では１Ａ）に固定されている。信号処理部１１０は、この予め定められた電流値ＣＢを青色ＬＤ駆動部１５０へ出力する。
【００３８】
ＰＷＭ部１２０は、信号処理部１１０から出力されたデューティー比ＤＹとデューティー比ＤＢを取得する。ＰＷＭ部１２０は、ＰＷＭ信号を出力するものである。ＰＷＭ部１２０は、取得したデューティー比ＤＢのＰＷＭ信号ＰＢ１を生成し、生成したＰＷＭ信号ＰＢ１を青色ＬＤ駆動部１５０へ出力する。また、ＰＷＭ部１２０は、取得したデューティー比ＤＹであるＰＷＭ信号ＰＹ１を生成し、生成したＰＷＭ信号ＰＹ１を励起用ＬＤ駆動部１４０へ出力する。
【００３９】
励起用ＬＤ駆動部１４０は、ＰＷＭ部１２０から出力されたＰＷＭ信号ＰＹ１と、信号処理部１１０から出力された電流値ＣＹを取得する。励起用ＬＤ駆動部１４０は、取得したＰＷＭ信号ＰＹ１の電流値を、取得した電流値ＣＹにし、ＰＷＭ信号ＰＹ２として出力する。青色ＬＤ駆動部１５０は、ＰＷＭ部１２０から出力されたＰＷＭ信号ＰＢ１と、信号処理部１１０から出力された電流値ＣＢを取得する。青色ＬＤ駆動部１５０は、取得したＰＷＭ信号ＰＢ１の電流値を取得した電流値ＣＢにし、ＰＷＭ信号ＰＢ２として出力する。
励起用レーザーダイオード６２は、励起用ＬＤ駆動部１４０から出力されたＰＷＭ信号ＰＹ２で駆動され、ＰＷＭ信号ＰＹ２に応じて点灯する。また、青色レーザーダイオード５９は、青色ＬＤ駆動部１５０から出力されたＰＷＭ信号ＰＢ２で駆動され、ＰＷＭ信号ＰＢ２に応じて点灯する。
【００４０】
このように、信号処理部１１０、ＰＷＭ部１２０、励起用ＬＤ駆動部１４０及び青色ＬＤ駆動部１５０が協働することにより、ＰＷＭ信号ＰＹ２を励起用レーザーダイオード６２へ出力し、ＰＷＭ信号ＰＢ２を青色レーザーダイオード５９へ出力する信号出力部２００が実現する。
【００４１】
次に、プロジェクター１の動作例について説明する。信号処理部１１０は、１フィールドの画像中の最大の明るさが図４に示したｆ未満（本実施形態ではｆ＝９％）の場合、電流値ＣＹをｂ（本実施形態ではｂ＝２．０Ａ）とする。また、信号処理部１１０は、１フィールドの画像中の最大の明るさがｆ未満の場合、図５に示したように明るさが明るくなるにつれてデューティー比ＤＹを大きくする。また、信号処理部１１０は、１フィールドの画像中の最大の明るさがｆ未満の場合、電流値ＣＢを予め定められた電流値とし、図７に示したように、明るさが明るくなるにつれてデューティー比ＤＢを大きくする。
つまり、本実施形態においては、１フィールドの画像中の最大の明るさがｆ未満の場合、ＰＷＭ信号ＰＹ２とＰＷＭ信号ＰＢ２の電流値が一定の電流値にされ、ＰＷＭ信号ＰＹ２とＰＷＭ信号ＰＢ２のデューティー比が画像の明るさに応じて変更される。
【００４２】
信号処理部１１０は、１フィールドの画像中の最大の明るさが図４に示したｆ以上且つｅ未満（本実施形態ではｅ＝６０％）の場合、電流値ＣＹを明るさが明るくなるにつれて大きくする。また、信号処理部１１０は、１フィールドの画像中の最大の明るさがｆ以上且つｅ未満の場合、図５に示したように明るさが明るくなるにつれてデューティー比ＤＹを大きくする。なお、図５に示したようにデューティー比ＤＹについては、１フィールドの画像中の最大の明るさがｆ以上且つｅ未満の範囲においては、ｆ未満のときと比較するとグラフの傾きが異なっている。また、信号処理部１１０は、１フィールドの画像中の最大の明るさが図４に示したｆ以上且つｅ未満の場合、電流値ＣＢを予め定められた電流値ＣＢとし、図７に示したように、明るさが明るくなるにつれてデューティー比ＤＢを大きくする。
つまり、本実施形態においては、１フィールドの画像中の最大の明るさがｆ以上且つｅ未満の範囲内の場合、ＰＷＭ信号ＰＹ２の電流値が画像の明るさに応じて変更され、ＰＷＭ信号ＰＹ２とＰＷＭ信号ＰＢ２のデューティー比が画像の明るさに応じて変更される。なお、本実施形態においては、明るさがｆの場合、デューティー比ＤＹをｄ（本実施形態ではｄ＝１０％）としている。
【００４３】
信号処理部１１０は、１フィールドの画像中の最大の明るさが図４に示したｅ以上の場合、電流値ＣＹをａ（本実施形態ではａ＝２．３Ａ）とし、明るさが明るくなるにつれてデューティー比ＤＹを大きくする。なお、デューティー比ＤＹについては、図５に示したように、１フィールドの画像中の最大の明るさがｅ以上の範囲においては、ｆ未満の場合やｆ以上且つｅ未満の場合と比較するとグラフの傾きが異なっている。また、信号処理部１１０は、１フィールドの画像中の最大の明るさがｅ以上の場合、電流値ＣＢを予め定められた電流値とし、図７に示したように、明るさが明るくなるにつれてデューティー比ＤＢを大きくする。
つまり、本実施形態においては、１フィールドの画像中の最大の明るさがｅ以上の場合、ＰＷＭ信号ＰＹ２とＰＷＭ信号ＰＢ２の電流値が一定の電流値にされ、ＰＷＭ信号ＰＹ２とＰＷＭ信号ＰＢ２のデューティー比が画像の明るさに応じて変更される。なお、本実施形態においては、明るさがｅの場合、デューティー比ＤＹをｃ（本実施形態ではｃ＝５５％）としている。
【００４４】
図８は、本実施形態におけるデューティー比ＤＹと電流値ＣＹとの関係を示したグラフである。図８に示した一点鎖線は、デューティー比ＤＹと、デューティー比ＤＹのときに許容されるＰＷＭ信号ＰＹ２の電流の最大値との関係を示したグラフであり、実線は、ＰＷＭ信号ＰＹ２のデューティー比ＤＹと、ＰＷＭ信号ＰＹ２の電流値ＣＹとの関係を示したグラフである。
【００４５】
ＰＷＭ信号でレーザーダイオードを駆動する場合、ＰＷＭ信号のデューティー比を大きくすると（１フィールド中の発光時間を長くすると）、ジャンクション温度が高くなり、レーザーダイオードから射出される光の光量が小さくなる。このため、信号処理部１１０は、デューティー比がｃ（５５％）以上の範囲においては、ＰＷＭ信号ＰＹ２の電流値ＣＹをａ（２．３Ａ）とし、ＰＷＭ信号ＰＹ２の電流値を大きくすることにより、温度上昇による赤色光と緑色光の光量の低下を抑えている。
また、ＰＷＭ信号でレーザーダイオードを駆動する場合、ＰＷＭ信号のデューティー比を小さくすると（１フィールド中の発光時間を短くすると）、ジャンクション温度が低くなり、レーザーダイオードから射出される光の光量が大きくなる。このため、信号処理部１１０は、ＰＷＭ信号ＰＹ２の電流値ＣＹをデューティー比ＤＹに応じて小さくすることにより、温度の低下による赤色光と緑色光の光量の上昇を抑えている。
また、図８に示したように、ＰＷＭ信号ＰＹ２の電流値は、許容される電流値の最大値より小さくなっているため、励起用レーザーダイオード６２から射出される光の光量が大きくなりすぎることがなく、励起用レーザーダイオード６２が破壊するのを防ぐことができる。
【００４６】
なお、図４、６、７に示した各テーブルの内容はあくまでも一例であり、図に示したものに限定されるものではない。例えば、第２デューティー比テーブルＴＢ２１についても、明るさがｆ未満の範囲と、明るさがｆ以上且つｅ未満の範囲と、明るさがｅ以上の範囲とでグラフの傾きが異なるようにしてもよい。なお、この構成の場合、電流値ＣＢを電流テーブルＴＢ１に基いて决定するようにしてもよい。また、電流テーブルＴＢ１については、図９に示したように、明るさがｅ未満の範囲については電流値をｂとし、明るさがｅ以上の範囲については電流値をａとするようにしてもよい。
【００４７】
なお、反射型液晶パネル４Ｒ、反射型液晶パネル４Ｇ及び反射型液晶パネル４Ｂが走査されている期間においては励起用レーザーダイオード６２及び青色レーザーダイオード５９を点灯させず、走査がされていない期間に点灯させる間欠点灯を行う場合、デューティー比の最大値は、ｃより小さくなる。しかしながら、上述した実施形態においては、デューティー比がｃより小さい範囲においては、明るさが明るくなるにつれて電流値ＣＹを大きくしているため、電流値をｂに固定する構成と比較すると、画像を明るくすることができる。
【００４８】
［第２実施形態］
次に本発明の第２実施形態について説明する。第２実施形態に係るプロジェクター１は、偏光ビームスプリッター２６で反射した赤色光を検出する光検出器と、偏光ビームスプリッター２８で反射した青色光を検出する光検出器を有し、光検出器の検出結果に応じて、画像の明るさとデューティー比との関係を表すテーブルと、画像の明るさと電流値との関係を表すテーブルとを生成する点が第１実施形態と異なる。よって、以下の説明においては、第１実施形態と共通の構成については同じ符号を付し、その説明を省略する。
【００４９】
図１０は、第２実施形態に係る光学系２Ａの構成を示した図である。光学系２Ａは、光学系２の構成に加えて、絞り３７Ｒ、絞り３８Ｒ、光検出器３６Ｒ、絞り３７Ｂ、絞り３８Ｂ及び光検出器３６Ｂを有する。
絞り３７Ｒは、偏光ビームスプリッター２６とレンズ３２Ｒとの間に配置されている。レンズ３２Ｒを透過した赤色光のうち、絞り３７Ｒに対して入射角の小さい赤色光は、絞り３７Ｒが有する開口部を通過して偏光ビームスプリッター２６へ入射し、絞り３７Ｒに対して入射角の大きい赤色光は、開口部を通過できずに遮断される。また、絞り３７Ｒにおいて偏光ビームスプリッター２６側に向いている面には、光を吸収する層が形成されている。反射型液晶パネル４Ｒで反射して偏光ビームスプリッター２６を透過した光は、この層で吸収される。
絞り３８Ｒは、偏光ビームスプリッター２６で反射されたＳ偏光が到達する位置に配置されている。偏光ビームスプリッター２６で反射された赤色光のうち、絞り３８Ｒに対して入射角の小さい赤色光は、絞り３８Ｒが有する開口部を通過し、絞り３８Ｒに対して入射角の大きい赤色光は、開口部を通過できずに遮断される。
光検出器３６Ｒは、絞り３８Ｒの開口部を通過した光が到達する位置に配置されている。光検出器３６Ｒは、絞り３８Ｒを通過した赤色光の光量を検出し、検出した光量を表す信号Ｓ１を信号処理部１１０へ出力する。
【００５０】
絞り３７Ｂは、偏光ビームスプリッター２８とレンズ３２Ｂとの間に配置されている。レンズ３２Ｂを透過した青色光のうち、絞り３７Ｂに対して入射角の小さい青色光は、絞り３７Ｂが有する開口部を通過して偏光ビームスプリッター２８へ入射し、絞り３７Ｂに対して入射角の大きい青色光は、開口部を通過できずに遮断される。また、絞り３７Ｂにおいて偏光ビームスプリッター２８側に向いている面には、光を吸収する層が形成されている。反射型液晶パネル４Ｂで反射して偏光ビームスプリッター２８を透過した光は、この層で吸収される。
絞り３８Ｂは、偏光ビームスプリッター２８で反射したＳ偏光が到達する位置に配置されている。偏光ビームスプリッター２８で反射された青色光のうち、絞り３８Ｂに対して入射角の小さい青色光は、絞り３８Ｂが有する開口部を通過し、絞り３８Ｂに対して入射角の大きい青色光は、開口部を通過できずに遮断される。
光検出器３６Ｂは、絞り３８Ｂの開口部を通過した光が到達する位置に配置されている。光検出器３６Ｂは、絞り３８Ｂを通過した青色光の光量を検出し、検出した光量を表す信号Ｓ２を信号処理部１１０へ出力する。
【００５１】
なお、図１０においては図示していないが、偏光ビームスプリッター２７においてクロスダイクロイックプリズム５の方向とは反対方向に反射した光を吸収する部品を光学系２Ａに設けるようにしてもよい。
【００５２】
次に、プロジェクター１のハードウェア構成について説明する。図１１は、第２実施形態において、反射型液晶パネル４Ｒ、反射型液晶パネル４Ｇ、反射型液晶パネル４Ｂ、励起用レーザーダイオード６２、及び青色レーザーダイオード５９を制御するハードウェアの構成を示したブロック図である。図１１に示したように、本実施形態に係る信号処理部１１０Ａは、光検出器３６Ｒから出力された信号Ｓ１と、光検出器３６Ｂから出力された信号Ｓ２とを取得する。
【００５３】
信号処理部１１０Ａは、各種信号を出力するため、第３デューティー比テーブルＴＢ３１と第４デューティー比テーブルＴＢ４１とを記憶している。第３デューティー比テーブルＴＢ３１は、図１２に例示した、信号処理部１１０Ａで調整した画像の明るさと、ＰＷＭ信号のデューティー比との関係を表すものである。なお、図１２に示したグラフは、ＰＷＭ信号の電流値をｂ（本実施形態においてはｂ＝２．０Ａ）に固定したときのものである。第４デューティー比テーブルＴＢ４１は、図１３に例示した、信号処理部１１０Ａで調整した画像の明るさと、ＰＷＭ信号のデューティー比との関係を表すものである。なお、図１３に示したグラフは、ＰＷＭ信号の電流値をａ（本実施形態においてはａ＝２．５Ａ）に固定したときのものである。
図に示したように、本実施形態においては、ＰＷＭ信号の電流値をｂとしたときには、画像の明るさとデューティー比との関係が線形であるのに対し、ＰＷＭ信号の電流値をａとしたときには、画像の明るさとデューティー比との関係が非線型となっている。
【００５４】
また、信号処理部１１０Ａは、第１テーブルＴＢ５１、第２テーブルＴＢ５２、第３テーブルＴＢ５３及び第４テーブルＴＢ５４を生成して記憶する。第１テーブルＴＢ５１は、画像の明るさと電流値ＣＹとの関係を表すものであり、第２テーブルＴＢ５２は、画像の明るさとデューティー比ＤＹとの関係を表すものである。第３テーブルＴＢ５３は、画像の明るさと電流値ＣＢとの関係を表すものであり、第４テーブルＴＢ５４は、画像の明るさとデューティー比ＤＢとの関係を表すものである。第１テーブルＴＢ５１〜第４テーブルＴＢ５４の内容については後述する。
【００５５】
次に、本実施形態に係る信号処理部１１０Ａの動作例について説明する。信号処理部１１０Ａは、プロジェクター１の電源がオンとなると、第１テーブルＴＢ５１〜第４テーブルＴＢ５４を生成する。なお、第１テーブルＴＢ５１〜第４テーブルＴＢ５４を生成する処理は、電源をオンとしたときに限定されるものではなく、電源をオフするときや、電源をオンとしてからオフとするまでの間の任意にタイミングで生成してもよい。また、ユーザーにより各テーブルの生成を指示する操作が行われたときに各テーブルを生成するようにしてもよい。
【００５６】
まず第１テーブルＴＢ５１と第２テーブルＴＢ５２の生成について説明する。信号処理部１１０Ａは、予め定められたデューティー比ｃのときの明るさｅを第４デューティー比テーブルＴＢ４１を用いて特定する。信号処理部１１０Ａは、第１テーブルＴＢ５１において、明るさｅ以上のときの電流値ＣＹを図１４に示したようにａ（２．５Ａ）とする。また、信号処理部１１０Ａは、明るさがｅ以上のときの明るさとデューティー比との関係を、第４デューティー比テーブルＴＢ４１から取得し、取得した関係を第２テーブルＴＢ５２に適用する。これにより、図１３に示した（ａ）の範囲が図１５に示した（ａ）の範囲に適用される。
【００５７】
次に信号処理部１１０Ａは、電流値ＣＹをａ、デューティー比ＤＹをｃとした後、光検出器３６Ｒから出力された信号Ｓ１を取得し、ここで取得した信号Ｓ１が表す光量ｓａを記憶する。この後、信号処理部１１０Ａは、デューティー比ＤＹをｃとしたまま電流値ＣＹをｂに変更する。信号処理部１１０Ａは、電流値ＣＹをｂに変更した後に光検出器３６Ｒから出力された信号Ｓ１を取得し、ここで取得した信号Ｓ１が表す光量ｓｂを記憶する。信号処理部１１０Ａは、電流値をｂに変更したときの画像の明るさｆを、以下の（１）の式を用いて計算する。
明るさｆ＝明るさｅ＊光量ｓｂ／光量ｓａ・・・（１）
【００５８】
信号処理部１１０Ａは、明るさｆを算出した後、第１テーブルＴＢ５１において、明るさがｆ未満の電流値を図１４に示したようにｂとする。また、信号処理部１１０Ａは、第１テーブルＴＢ５１において、（ｆ，ｂ）点と（ｅ，ａ）点の間を図１４に示したように線形補間し、明るさがｆ以上且つｅ未満の範囲のときの明るさと電流値ＣＹとの関係を求める。
【００５９】
次に信号処理部１１０Ａは、第２テーブルＴＢ５２について、明るさがｅ未満のときの明るさとデューティー比ＤＹとの関係を求める。まず、信号処理部１１０Ａは、明るさがｆ以上且つｅ未満の範囲のデューティー比ＤＹを、図１５に示したようにｃとする。次に信号処理部１１０Ａは、明るさがｆ未満のときの明るさｈとデューティー比ＤＹとの関係を求める。
ここで信号処理部１１０Ａは、第３デューティー比テーブルＴＢ３１において、デューティー比がｃ未満の任意のデューティー比をｇ、デューティー比がｇのときの明るさをｈ１、デューティー比がｃのときの明るさをｆ１とし、明るさｈを以下の（２）の式を用いて求める。
明るさｈ＝明るさｈ１＊明るさｆ／明るさｆ１・・・（２）
信号処理部１１０Ａは、デューティー比ＤＹが０％以上且つｃ未満の範囲について、（２）の式を用いて明るさを求め、求めた明るさとデューティー比との関係を、図１５の（ｂ）の範囲（（０％，０％）から（ｆ，ｃ）点の範囲）に適用する。また、信号処理部１１０Ａは、（ｆ，ｃ）点から（ｅ，ｃ）点の線形補間を行う。
【００６０】
次に信号処理部１１０Ａは、第３テーブルＴＢ５３と第４テーブルＴＢ５４とを生成する。信号処理部１１０Ａは、第３テーブルＴＢ５３において、明るさがｅ以上の電流値ＣＢを図１４と同様にａ（２．５Ａ）とする。また、信号処理部１１０Ａは、明るさがｅ以上のときの明るさとデューティー比との関係を、第４デューティー比テーブルＴＢ４１から取得し、取得した関係を第４テーブルＴＢ５４に適用する。これにより、図１３に示した（ａ）の範囲が図１５の（ａ）の範囲と同様に、第４テーブルＴＢ５４の（ｅ，ｃ）点から（１００％，１００％）の範囲に適用される。
【００６１】
次に信号処理部１１０Ａは、電流値ＣＢをａ、デューティー比ＤＢをｃとした後、光検出器３６Ｂから出力された信号Ｓ２を取得し、ここで取得した信号Ｓ２が表す光量ｓａを記憶する。この後、信号処理部１１０Ａは、デューティー比ＤＢをｃとしたまま電流値ＣＢをｂに変更する。信号処理部１１０Ａは、電流値ＣＢをｂに変更した後に光検出器３６Ｂから出力された信号Ｓ２を取得し、ここで取得した信号Ｓ２が表す光量ｓｂを記憶する。信号処理部１１０Ａは、電流値をｂに変更したときの画像の明るさｆを、上記（１）の式を用いて計算する。
【００６２】
信号処理部１１０Ａは、明るさｆを算出した後、第３テーブルＴＢ５３において、明るさがｆ未満の電流値を図１４と同様にｂとする。また、信号処理部１１０Ａは、第３テーブルＴＢ５３において、（ｆ，ｂ）点と（ｅ，ａ）点の間を図１４と同様に線形補間し、明るさがｆ以上且つｅ未満の範囲のときの明るさと電流値ＣＢとの関係を求める。
【００６３】
次に信号処理部１１０Ａは、第４テーブルＴＢ５４について、明るさがｅ未満のときの明るさとデューティー比ＤＢとの関係を求める。まず、信号処理部１１０Ａは、明るさがｆ以上且つｅ未満の範囲のデューティー比ＤＢを、図１５と同様にｃとする。次に信号処理部１１０Ａは、明るさがｆ未満のときの明るさｈとデューティー比ＤＢとの関係を、第２テーブルＴＢ５２のときと同様に上記（２）の式を用いて求める。信号処理部１１０Ａは、デューティー比ＤＢが０％以上且つｃ未満の範囲について、上記（２）の式を用いて明るさを求め、求めた明るさとデューティー比との関係を、第４テーブルの（０％，０％）から（ｆ，ｃ）点の範囲に適用する。また、信号処理部１１０Ａは、（ｆ，ｃ）点から（ｅ，ｃ）点の線形補間を行う。
【００６４】
信号処理部１１０Ａは、第１テーブルＴＢ５１〜第４テーブルＴＢ５４を生成すると、電源がオフとなるまでの間においては、画像の明るさと第１テーブルＴＢ５１に基いて電流値ＣＹを决定し、决定した電流値ＣＹを励起用ＬＤ駆動部１４０へ出力する。また、信号処理部１１０Ａは、画像の明るさと第２テーブルＴＢ５２に基いてデューティー比ＤＹを决定し、决定したデューティー比ＤＹをＰＷＭ部１２０へ出力する。また、信号処理部１１０Ａは、画像の明るさと第３テーブルＴＢ５３に基いて電流値ＣＢを决定し、决定した電流値ＣＢを青色ＬＤ駆動部１５０へ出力する。また、信号処理部１１０Ａは、画像の明るさと第４テーブルＴＢ５４に基いてデューティー比ＤＢを决定し、决定したデューティー比ＤＢをＰＷＭ部１２０へ出力する。
【００６５】
本実施形態においても、ＰＷＭ信号のデューティー比を大きくするとＰＷＭ信号の電流値を大きくするため、赤、緑及び青の光の光量低下を抑えることができる。また、ＰＷＭ信号のデューティー比を小さくするとＰＷＭ信号の電流値を小さくするため、赤、緑及び青の光の光量の上昇を抑えることができる。
【００６６】
なお、第２実施形態においては、電流値ＣＢを第３テーブルＴＢ５３に基いて决定し、デューティー比ＤＢを第４テーブルＴＢ５４に基いて决定しているが、第１実施形態と同様に電流値ＣＢを固定し、デューティー比ＤＢを第３デューティー比テーブルＴＢ３１に基いて决定するようにしてもよい。
【００６７】
また、第２実施形態においては、デューティー比をｃより小さいｄ未満としたときに電流値をｂにしてもよい。この場合、信号処理部１１０Ａは、第４デューティー比テーブルＴＢ４１からデューティー比がｄのときの明るさｅ１を求める。また、信号処理部１１０Ａは、デューティー比がｄで電流値がａのときの光量ｓａと、デューティー比がｄで電流値がｂのときの光量ｓｂとを光検出器で測定し、デューティー比をｄとし電流値をｂとしたときの明るさｆ２を下記の（３）の式から求める。
明るさｆ２＝ｅ１＊光量ｓｂ／光量ｓａ・・・（３）
これにより、第２テーブルＴＢ５２と第４テーブルＴＢ５４における（ｆ２，ｄ）点が求まる。信号処理部１１０Ａは、第２テーブルＴＢ５２と第４テーブルＴＢ５４に（ｆ２，ｄ）点から（ｅ，ｃ）点の間を補間し、（ｆ２，ｄ）点から（０％，０％）までの間を線形補間して、第２テーブルＴＢ５２と第４テーブルＴＢ５４を生成する。また、（３）の式によりｆ２が求まるため、第１テーブルＴＢ５１と第３テーブルＴＢ５３とにおいて、（ｆ２，ｂ）点から（ｅ，ａ）点の間を線形補間し、第１テーブルＴＢ５１と第３テーブルＴＢ５３とを生成する。
【００６８】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００６９】
上述した実施形態においては、画像を投写するための素子は、透過型の液晶ライトバルブに限定されるものではなく、反射型の液晶ライトバルブやＤＭＤ（Digital Mirror Device）などであってもよい。また、上述した実施形態においては、光を発する光源は、レーザーダイオードであったが、固体光源であればレーザーダイオード以外のものであってもよい。
【００７０】
上述した実施形態においては、黄色光ＬＹを赤色光と緑色光に分光しているが、赤色光を発するレーザーダイオードを有する照明装置と、緑色光を発するレーザーダイオードを有する照明装置を設け、赤色光を発する照明装置から射出された赤色光を反射型液晶パネル４Ｒへ導き、緑色光を発する照明装置から射出された緑色光を反射型液晶パネル４Ｇへ導くようにしてもよい。また、赤色光を発する蛍光体と、緑色光を発する蛍光体を配置し、赤色光を発する蛍光体からの光を反射型液晶パネル４Ｒへ導き、緑色光を発する蛍光体からの光を反射型液晶パネル４Ｇへ導くようにしてもよい。
この変形例にあっては、赤色光を発するレーザーダイオードを駆動するＰＷＭ信号と、緑色光を発するレーザーダイオードを駆動するＰＷＭ信号について、第１実施形態の励起用レーザーダイオード６２と同様にデューティー比と電流値を决定するようにしてもよい。
また、第２実施形態において、この変形例の構成を採用した場合、偏光ビームスプリッター２７で反射した緑色光を検出する光検出器を設けるようにしてもよい。そして、当該光検出器で検出した光量を用いて、第２実施形態と同様に、明るさと電流値との関係を示すテーブルと、明るさとデューティー比との関係を示すテーブルを生成し、生成したテーブルに基いて、緑色光を発するレーザーダイオードを駆動するＰＷＭ信号のデューティー比と電流値を决定するようにしてもよい。
なお、光検出器の配置位置は、偏光ビームスプリッター２６〜２８を挟んでクロスダイクロイックプリズム５に向かい合う位置に限定されるものではなく、光を検出できるのであれば他の位置であってもよい。
【００７１】
上述した実施形態においては、明るさがｆ以上且つｅ未満の場合には電流値ＣＹを明るさに応じた値としているが、明るさがｆ以上且つｅ未満の場合には、例えば、電流値をａとｂと間の値に固定するようにしてもよい。
【００７２】
上述した実施形態においては、ＰＷＭ信号の周波数が入力される画像信号のフィールド周波数と同じとなっているが、ＰＷＭ信号の周波数は、画像信号のフィールド周波数と同じ周波数に限定されるものではなく、フィールド周波数より高い周波数であってもよい。
また、上述した実施形態においては、画像信号のフィールド周波数と等しい周波数の第１のＰＷＭ信号と、フィールド周波数よりも高い周波数の第２のＰＷＭ信号とを合成したＰＷＭ信号を、励起用ＬＤ駆動部１４０や青色ＬＤ駆動部１５０へ出力するような構成であってもよい。そして、画像信号のフィールド期間に対する合成後のＰＷＭ信号の点灯期間の割合に基づいて、デューティー比を決定するようにしてもよい。
【符号の説明】
【００７３】
１…プロジェクター、２、２Ａ…光学系、４Ｒ、４Ｇ、４Ｂ…反射型液晶パネル、６…投写光学系、３６Ｒ、３６Ｂ…光検出器、５１…青色光照明装置、５２…黄色光照明装置、５３…青色レーザーダイオードアレイ、５９…青色レーザーダイオード、６０…励起用レーザーダイオードアレイ、６１…蛍光体基板、６２…励起用レーザーダイオード、１００…制御部、１１０、１１０Ａ…信号処理部、１２０…ＰＷＭ部、１３０…液晶駆動部、１４０…励起用ＬＤ駆動部、１５０…青色ＬＤ駆動部、２００…信号出力部、ＴＢ１…電流テーブル、ＴＢ１１…第１デューティー比テーブル、ＴＢ２１…第２デューティー比テーブル、ＴＢ３１…第３デューティー比テーブル、ＴＢ４１…第４デューティー比テーブル、ＴＢ５１…第１テーブル、ＴＢ５２…第２テーブル、ＴＢ５３…第３テーブル、ＴＢ５４…第４テーブル。
【図１】
2014106420.tif 000003
【図２】
2014106420.tif 000004
【図３】
2014106420.tif 000005
【図４】
2014106420.tif 000006
【図５】
2014106420.tif 000007
【図６】
2014106420.tif 000008
【図７】
2014106420.tif 000009
【図８】
2014106420.tif 000010
【図９】
2014106420.tif 000011
【図１０】
2014106420.tif 000012
【図１１】
2014106420.tif 000013
【図１２】
2014106420.tif 000014
【図１３】
2014106420.tif 000015
【図１４】
2014106420.tif 000016
【図１５】
2014106420.tif 000017